(57)【要約】【課題】  少ない副資材で隣合う複合ボード１同士を確実に結束し、それによって地上において連結作業を行なうことができる安価な複合ボード１及びコンクリート壁の構築方法を提供することを目的とする。【解決手段】  断熱材２と該断熱材２内に埋設された発泡材からなる補強部材３とを一対の外壁体４により狭持した複合ボード１を複数連結して型枠として使用される複合ボード１において、前記複合ボード１の左右両端に連結手段11を備える。前記連結手段11が前記複合ボード１の当接部６に設けられた雌部12と、該雌部12に係合する雄部15とからなる。【選択図】図３
2005320682.tif 000002
【特許請求の範囲】
【請求項１】
断熱材と該断熱材内に埋設された発泡材からなる補強部材とを一対の外壁体により狭持した複合ボードを複数連結して型枠として使用される複合ボードにおいて、前記複合ボードの左右両端の当接部に連結手段を備えたことを特徴とする複合ボード。
【請求項２】
前記連結手段が前記複合ボードの当接部に設けられた雌部と、該雌部に係合する雄部とからなることを特徴とする請求項１記載の複合ボード。
【請求項３】
前記雌部は、隣合う複合ボードに設けられた一対の雌構成部により形成することを特徴とする請求項２記載の複合ボード。
【請求項４】
前記雄部は、中央に形成されたくびれ部と、両端に形成された幅広の掛止部とを備えたことを特徴とする請求項２又は３記載の複合ボード。
【請求項５】
前記雌構成部を備えた前記当接部が４５度の角度に切断されていることを特徴とする請求項１乃至４いずれか１項記載の複合ボード。
【請求項６】
断熱材と該断熱材内に埋設された発泡材からなる補強部材とを一対の外壁体により狭持した複合ボードを複数連結して型枠として使用される複合ボードにおいて、前記複合ボードの水平方向の一端に雌構成部と、他端に前記雌部と係合する形状を有する雄部とを設けたことを特徴とする複合ボード。
【請求項７】
断熱材と該断熱材内に埋設された発泡材からなる補強部材とを一対の外壁体により狭持した複合ボードを複数連結して型枠として使用するコンクリート壁の構築方法において、前記断熱材内に備えた雌部に、中央に形成されたくびれ部と両先端に形成された幅広の掛止部とを備えた雄部を打込んで複合ボードを複数連結する工程と、連結された前記複合ボードを相対向して立設し中間部を形成する工程と、該中間部にコンクリートを打設する工程とからなることを特徴とするコンクリート壁の構築方法。
【発明の詳細な説明】
【技術分野】
【０００１】
本発明は、外壁体の裏面に断熱材を接着して構成される複合ボード及びコンクリート壁の構築方法に関するものである。
【背景技術】
【０００２】
従来、コンクリート壁を形成するには、基礎コンクリート上に一対の型枠を対向して複数並設して中間部を形成し、この中間部にコンクリートを流し込むことによって形成していた。また、外壁体の裏面に断熱材を接着して構成される複合パネルによって外断熱を図る場合には、前記複合パネルとパネルとを相対向して立設して型枠を形成し、打込みにより外断熱工法に使用してコンクリート壁を形成する外断熱工法が知られている。しかしながら、上記のような工法では、型枠として使用する複合パネルの強度が足りないため、パネル側と同様に複合パネルに単菅製の縦端太と、横端太とを配し、この横端太にフォームタイを設置してセパレータによって支持する必要があり、多くの副資材が必要であると同時に、縦および横端太を配置する際の作業工数が多く、特に、外断熱を要するコンクリート壁の設置面積が多い現場、例えば、集合住宅やマンションなどの大型建築においてはその作業工数は膨大で、コストの高騰を招く一因になっていた。このような問題に対応して、外壁体の裏面に断熱材を接着して構成され相対向するパネルとの間にコンクリートを設ける複合ボードにおいて、前記外壁体の裏面に補強部材を備えることにより、複合ボードの強度を増し、この複合ボードを型枠として使用した場合に必要となる副資材を削減できる複合ボードが開示されている（例えば特許文献１）。また、上記特許文献１には、一対の外壁体の内部に断熱材と該断熱材内に埋設された補強部材とを備え、断熱材の両面を外壁体で狭持するとともに発泡材からなる補強部材により強度を向上させることによって型枠としても使用することができる複合ボードも開示されている。
【特許文献１】特願２００４−３５８７２
【発明の開示】
【発明が解決しようとする課題】
【０００３】
しかしながら、上記した特許文献１においても、並設された隣合う複合ボード同士はジョイント部で係合し、複数の複合ボードをジョイント部で連結し表面に連結部材を配し補強部材に対してビスを打ち込むことによって連結部材を介して複数の複合ボードを一体化するので、副資材と工数が増加することに伴い、コストが増加する懸念があった。
【０００４】
そこで、本発明は上記した問題点に鑑みて、少ない副資材で隣合う複合ボード同士を確実に結束し、それによって地上において連結作業を行なうことができる安価な複合ボード及びコンクリート壁の構築方法を提供することを目的とする。
【課題を解決するための手段】
【０００５】
上記目的を達成するために本発明に係る複合ボードは、断熱材と該断熱材内に埋設された発泡材からなる補強部材とを一対の外壁体により狭持した複合ボードを複数連結して型枠として使用される複合ボードにおいて、前記複合ボードの左右両端の当接部に連結手段を備えたことを特徴とする。
【０００６】
また、前記連結手段が前記複合ボードの当接部６に設けられた雌部と、該雌部に係合する雄部とからなることを特徴とする。
【０００７】
ここで、前記雌部は、隣合う複合ボードに設けられた一対の雌構成部により形成することが好ましい。
【０００８】
また、前記雄部は、中央に形成されたくびれ部と、両端に形成された幅広の掛止部とを備えるのが好ましい。
【０００９】
また、前記雌構成部を備えた前記当接部が４５度の角度に切断されていることを特徴とする。
【００１０】
また、本発明に係る複合ボードは断熱材と該断熱材内に埋設された発泡材からなる補強部材とを一対の外壁体により狭持した複合ボードを複数連結して型枠として使用される複合ボードにおいて、前記複合ボードの水平方向の一端に雌構成部と、他端に前記雌部と係合する形状を有する雄部とを設けたことを特徴とする。
【００１１】
さらに、本発明に係るコンクリート壁の構築方法は、断熱材と該断熱材内に埋設された発泡材からなる補強部材とを一対の外壁体により狭持した複合ボードを複数連結して型枠として使用するコンクリート壁の構築方法において、前記断熱材内に備えた雌部に、中央に形成されたくびれ部と両先端に形成された幅広の掛止部とを備えた雄部を打込んで複合ボードを複数連結する工程と、連結された前記複合ボードを相対向して立設し中間部を形成する工程と、該中間部にコンクリートを打設する工程とからなることを特徴とする。
【発明の効果】
【００１２】
本発明の請求項１記載の複合ボードによれば、複合ボードの両端に連結手段を設けたことから、地上で複合ボードを連結してクレーンで吊り上げて所定箇所に設置できるので作業を効率化できるとともに、複合ボードの連結に必要な副資材および作業工数を低減できコストダウンを図れる。
【００１３】
また、請求項２に記載の複合ボードによれば、少ない副資材で複合ボードを確実に結束することができる。
【００１４】
また、請求項３に記載の複合ボードによれば、雌構成部を複合ボードと一体化することによって管理部品点数を少なくできるのでコストの低減を図れる。
【００１５】
また、請求項４に記載の複合ボードによれば、雄部が楔形をしているので、確実に複合ボードを連結できる。
【００１６】
また、請求項５に記載の複合ボードによれば、当接部が４５度に切断されているので、コーナー部においても少ない部品および作業工数で切れ目なく確実に複合ボードを連結できる。
【００１７】
また、請求項６に記載の複合ボードによれば、雄部および雌部を複合ボードと一体化できるので、部品管理点数をさらに低減でき、より効率化を図れる。
【００１８】
また、請求項７に記載の複合ボードによれば、地上で複合ボードを連結してその連結された複合ボードをクレーンで吊り上げて所定箇所に設置できるので、作業を効率化できるとともに、複合ボードの連結に必要な副資材および作業工数を低減できコストダウンを図れる。
【発明を実施するための最良の形態】
【００１９】
まず、本発明に係る複合ボードの基本的な構成について説明する。図１は本発明に係る複合ボードの平面図であり、連結した状態を示す図である。図２は連結手段の構成を示す斜視図であり、（ａ）雌構成部、（ｂ）雄部である。図３は複合ボードの全体斜視図であり、連結方法を示す図である。図４は複合ボードの横断面図であり、コンクリートを打設した状態を示す図である。
【００２０】
図１に示す１は、コンクリート壁を構築する際、型枠としても機能する複合ボード１であり、断熱材２と該断熱材２内に埋設された発泡材からなる補強部材３とを一対の外壁体４により狭持している。前記断熱材２は、外壁体４に当接する面に結露防止用の通風孔５が形成されており、外壁体である一対の外壁体４に接着剤などにより固着されている。
【００２１】
以下本発明の好適な実施形態について説明する。
【００２２】
前記複合ボード１は、複合ボード１の両端に設けられた連結手段11により連結される。前記連結手段11は、前記複合ボード１の当接部６に設けられた雌部12と、該雌部12に係合する雄部15とからなる。
【００２３】
前記雌部12は、図２（ａ）に示すように、硬質材からなり、一対の雌構成部13により構成される。すなわち、雌部12は、複合ボード１を複数立設したときに、隣り合う複合ボード１の両端部に設けられた一対の前記雌構成部13をその端部13aで当接して形成される。前記雌構成部13は、外壁体４に狭持され、外壁体４および断熱材２にそれぞれ接着剤などにより固着され、端部13aが複合ボード１の端部と略面一になる位置に配置され、後述する雄部15と同形状の係合溝部14が形成されている。前記係合溝部14は、楔形に形成され、先端は狭く奥にいくにしたがって幅広に形成されている。
【００２４】
前記雄部15は、図２（ｂ）に示すように、前記雌部12と同じ硬質材からなる長尺部材であり、その断面はいわゆる千切り形状に形成され、断面の中央に形成されたくびれ部16と、同じく断面の両端に形成された幅広の掛止部17とを備えている。この雄部15は、必ずしも複合ボード１の縦長さと同じ長さを有する必要はなく、連結した際に連結した状態を維持するのに十分な強度を発揮し得る長さに形成されるのが好ましい。
【００２５】
型枠として使用されるために立設された前記複合ボード１は、複合ボード１の両端における当接部６に設けられた前記雌部12に前記雄部15を嵌合し、前記掛止部17が前記係合溝部14に係合することによって隣合う複合ボード１同士が連結される。すなわち、複合ボード１は、適当な長さを有する前記雄部15を複合ボード１の上下端よりそれぞれ前記雌部12に打込むことによって連結される。このように連結手段11を構成することによって、隙間なく複合ボード１を連結することができ、かつ、雄部15と雌部12との係合により確実に結束できる。
【００２６】
また、図３に示すように複合ボード１は、隣合う複合ボード１同士の当接部６が当接する位置に倒置して、一対の雌構成部13の端部13aを突き合わせることにより雌部12を形成し、該雌部12に雄部15を嵌合することによって複数の複合ボード１を連結して、この連結された複合ボード１をクレーンで吊り上げ設置することが可能となるので、型枠として使用する複合ボード１の設置を地上において安全に行なえると同時に、重機械を使用することによって効率化を図ることができる。
【００２７】
次に、本発明に係るコンクリート壁の構築方法について図３および図４を参照して説明する。
【００２８】
まず、複合ボード１を製造する工場において断熱材２と該断熱材２内に埋設された発泡材からなる補強部材３とを一対の外壁体４により狭持し、左右両端の当接部６に雌構成部13を接着剤などにより固着して設けた複合ボード１が製造され、同時に前記雌構成部13と同様の材質からなる雄部15が製造され、それぞれを建築施工現場に搬入する。次いで、現場において、複合ボード１の連結を行なう。すなわち、複合ボード１を当接部が向き合うように地上に倒置し、一対の雌構成部13の端部13aを突き合わせることにより形成された雌部12に前記雄部15を嵌合し、係合溝部14に掛止部17が係合することにより複合ボード１が連結される。このようにして連結された複合ボード１を、基礎コンクリート上に相対向して複数連結して立設する。このとき、形成されるコンクリート壁の両側に複合ボード１が配される。
【００２９】
前記複合ボード１は間隔保持部材を介して相対向して第１の複合ボード1aと第２の複合ボード1bとして並設され、第１の複合ボード1aの外壁体４の表面には２本１組とした横管材22が前記補強部材３と直交する位置に複数組配設され、この横管材22にフォームタイ23を設置して、突出した前記スタッドボルト24の一端にフォームタイ23の中央に形成した雌ネジを螺合する。同様に第２の複合ボードbの外壁体の表面には２本１組とした横管材22が前記補強部材と直交する位置に複数組配設され、この横管材22にフォームタイ23を設置して、突出した前記スタッドボルト24の他端にフォームタイ23の中央に形成した雌ネジを螺合し、前記スタッドボルト24の一端に螺合したフォームタイ23との締め付けによって横管材22を支持する。こうして第１および第２の複合ボード1a,1bの表面よりフォームタイ23を締め付けることによって、間隔保持部材25を介して第１および第２の複合ボード1a,1bからなる型枠が狭持され、横管材22、さらに補強部材３によって型枠が補強される。
【００３０】
このようにして第１および第２の複合ボード1a,1bからなる型枠によって中間部26を形成し、この中間部26に図示しないコンクリートミキサによって混合されたコンクリートを図示しないポンプによって流し込み、コンクリート27を打設し第１および第２の複合ボード1a,1bとコンクリート27とからなるコンクリート壁28が形成される。
【００３１】
このように、コンクリート壁28を構築することから、地上で複合ボード１の連結を行うことができるので安全に作業できるとともに、連結された複数の複合ボード１をクレーンで吊り上げて設置するため人力による作業を削減し作業を効率化できる。また、複合ボード１を雄部15と雌部12の係合により連結するので、確実に連結できしかも部品点数および作業工数も低減でき、コストダウンを実現できる。
【００３２】
コンクリート27の養生後、型枠を解体する際には、横管材22と間隔保持部材25を固定しているフォームタイ23をスタッドボルト24から取り外すことによって横管材22を取り外すことができる。このとき、縦管材は当初から配置されていないため横管材22のみを取り外せばよく、さらに第１および第２の複合ボード1a,1bが型枠として機能しさらにコンクリート養生後は断熱コンクリート壁28の１部分となるので、型枠を解体する必要がないので、その分副資材と作業工数を低減でき、さらに取り外し作業において縦管材が倒れる危険性もないため安全に作業を行なうことができる。
【００３３】
さらに、型枠として機能した複合ボード1a,1bは、形成されるコンクリート壁28の表面を構成するので、コンクリート打設後養生が完了する前であっても、外壁体４の表面に対しビニルクロスやタイルを貼着するなどの仕上げを施工することができるため、工期の短縮を図れる。
【００３４】
また、通常であれば多層階の建築においては、壁構築の型枠に使用した副資材を上部階の壁構築に使用するための資材運搬用の貫通孔を天井部分に形成しておく必要があるのに対し、型枠を解体する必要がないので使用する副資材が少なくて済むため天井に貫通孔を形成する必要がなく、このため天井部分のコンクリート打設においても１回にコンクリート打設を行なえ、作業性の向上を図れるばかりでなく、仕上げを容易に行なえる。
【００３５】
さらに、図示しないが、建築物の天井部分においても本実施形態に係る複合ボードを使用することによって、型枠が不要になり、サポートを適宜配置するのみで型枠としての機能を有する複合ボードを組むことができ、コンクリートを打設できるので、副資材と作業工数を低減でき、コンクリート打設後養生が完了する前であっても、天井面の仕上げを行なえるので、工期の短縮を図れる。
【００３６】
次に本発明に係る複合ボード１の変形例について図を参照して説明する。図５は変形例を示す平面図であり、連結した状態を示す図である。図６は連結手段の構成を示す斜視図であり、（ａ）雌構成部、（ｂ）雄部である。図７は複合ボードの全体斜視図であり、連結方法を示す図である。
【００３７】
図５はコーナー部20における連結手段11の構成を示している。それぞれの複合ボード１の当接部６は４５度に切断されており、この当接部６を当接して直角のコーナー部20が形成される。前記当接部６には雌構成部13が外壁体４に狭持され接着剤などで外壁体４および断熱材２に固着して設けられており、一対の雌構成部13によって雌部12が形成される。前記雌構成部13は、図６（ａ）に示すように、雄部15の掛止部17と同形状に形成された係合溝14を備え、端部13aは４５度の角度に切断されている。前記雄部15は、図６（ｂ）に示すように、２個の矩形の長尺部材を直角方向に組み合わせた形状に形成され、中央にくびれ部16と、両端に掛止部17とを備える。
【００３８】
このように構成された複合ボード１を連結するには、図７に示すように、４５度の角度に切断された当接部６において複合ボード１を直角に突合せ、一対の雌構成部13が組合わさることによって雌部12を形成し、該雌部12に前記雄部15を嵌合し掛止部17が係合溝部14に係合することによって雌部12と雄部15とからなる連結手段11を介して隣合う複合ボード１が確実に連結される。
【００３９】
このようにコーナー部を本発明に係る複合ボード１により構成することで、隙間なくしかも確実に連結することができ、副資材を少なくできるので、作業工数の低減も含めたコストダウンを図れる。
【００４０】
次に本発明の別の変形例について図８を参照して説明する。
【００４１】
図８は本実施形態に係る複合ボード１の連結手段11を示し、前記複合ボード１には水平方向の一端に雌構成部13と、他端に前記雌構成部12と係合する形状を有する雄構成部21とが設けられている。前記雌構成部13は、係合溝部14を有し、一対の外壁体４に狭持され接着剤などにより固着され、複合ボード１の一端に一体的に備えられている。また、前記雄構成部21は楔状の掛止部17を備えており、一対の外壁体４に狭持され接着剤などにより固着され、複合ボード１の他端に一体的に備えられている。
【００４２】
このように構成された複合ボード１を連結するには、雌構成部13と雄構成部21が対になるように複合ボード１を並べ、雄構成部21側の複合ボード１を上方へ引き上げ、前記雌構成部13に前記雄構成部21を嵌合しながら複合ボード１を下方へ押し下げることにより、係合溝部14と掛止部17とが係合し、隣合う複合ボード１が確実に連結される。
【００４３】
本発明は、本実施形態に限定されるものではなく、本発明の要旨の範囲内で種々の変形実施が可能である。例えば、図示した雄部15のくびれ部16およびそれに対応する雌部12は角形状に形成されているが、応力集中を避けるため適宜Ｒ加工を施してもよいことはもちろんである。また、掛止部17および係合溝部14の形状は適宜変更可能であることはいうまでもない。
【図面の簡単な説明】
【００４４】
【図１】本発明に係る複合ボードの平面図であり、連結した状態を示す図である。
【図２】同上、連結手段の構成を示す斜視図であり、（ａ）雌構成部、（ｂ）雄部である。
【図３】同上、複合ボードの全体斜視図であり、連結方法を示す図である。
【図４】同上、複合ボードの横断面図であり、コンクリートを打設した状態を示す図である。
【図５】本発明の複合ボードの変形例を示す平面図であり、連結した状態を示す図である。
【図６】同上、連結手段の構成を示す斜視図であり、（ａ）雌構成部、（ｂ）雄部である。
【図７】同上、複合ボードの全体斜視図であり、連結方法を示す図である。
【図８】本発明の複合ボードの別の変形例を示す斜視図であり、連結方法を示す図である。
【符号の説明】
【００４５】
１    複合ボード
２    断熱材
３    補強部材
４    外壁体
11    連結手段
12    雌部
13    雌構成部
15    雄部
16    くびれ部
17    掛止部
【図１】
2005320682.tif 000003
【図２】
2005320682.tif 000004
【図３】
2005320682.tif 000005
【図４】
2005320682.tif 000006
【図５】
2005320682.tif 000007
【図６】
2005320682.tif 000008
【図７】
2005320682.tif 000009
【図８】
2005320682.tif 000010